(57)【要約】      （修正有）【課題】テーブルや机に置くインテリアとして、小物を載せる台として、また食事を写真に撮る際のお供として利用でき、嵩張ることなく持ち歩くことができるキャラクターグッズを提供する。【解決手段】キャラクターグッズは平板から成る上半身部２と下半身部３で構成し、その形状は水平な下半身部の後方に上半身部が垂直に起立したＬ形とし、上半身部と下半身部は結合手段であるピン４と穴５により結合する。【選択図】図２
0003220227.tif 000002
【実用新案登録請求の範囲】
【請求項１】
上半身部と下半身部で構成されるキャラクターグッズにおいて、上記上半身部及び下半身部は平板状で、水平な下半身部の後方には上半身部が垂直に起立したＬ形とし、そして上半身部と下半身部は結合手段によって結合し、必要に応じて分離することが出来るように構成したことを特徴とするキャラクターグッズ。
【請求項２】
上記上半身部と下半身部の結合手段として、上半身部の下端にはピンを下方へ突出し、下半身部の後方表面にはピンが嵌る穴を設けた請求項１記載のキャラクターグッズ。
【請求項３】
上記上半身部と下半身部の結合手段としてマグネットを用いた請求項１記載のキャラクターグッズ。
【請求項４】
上半身部及び下半身部を樹脂製とした請求項１、請求項２、又は請求項３記載のキャラクターグッズ。
【考案の詳細な説明】
【技術分野】
【０００１】
本考案はテーブルや机に置いて、飾りとして、また小物が載置される台として、さらには写真を撮る際のお供として機能することが出来るキャラクターなどで形作ったグッズに関するものである。
【背景技術】
【０００２】
近年、テレビなどで放映されるアニメのキャラクターを用いて形作った小物や置物、又はキャラクターを表面にプリントした衣類、文房具類など、色々な商品が市販されている。
キャラクターに限らないが、色々な形状に形作った小物は部屋の置物として、またインテリアグッズとして人気が高い。
キャラクターを一部に取り入れた商品は従来から数多く市販され、また特許出願や実用新案登録出願もなされている。
【０００３】
例えば、実用新案登録第３２０５８３７号に係る「小物入れ」は、押しボタンを押したときにキャラクターの音声が流れる小物入れである。
そこで、該小物入れは、キャラクターの形状を有するマスコット部が形成されたこ小物入れ本体と、押しボタンとして構成された押しボタン型筐体、キャラクターの音声を再生するスピーカ、スピーカに接続されていて押しボタン型筐体が押されたときにキャラクターの音声をスピーカに再生させるように構成された回路基板を有するモジュールとを備え、小物入れ本体が、モジュールを収納する第１収納部と、第１収納部の内部に位置していてマスコット部の背部に設けられた第２収納部とを有している。
【０００４】
特許第５３４３１７５号に係る「小物吊り下げホルダー」は、キャラクター人形やフィギュア、筆記用具、携帯化粧品など形状が立体的な好みの小物を、服やバッグに吊り下げられると共に、小物の複数の面に接着して強固に接合することができるようにしている。
そこで、本体部の上部に、半割りリング状のフックの連結部を設け、本体部の下部に、可撓性のあるフェルトで形成した２本のアームを外側に向かって広げて直線状に取付け、このアームの底面に接着剤層を形成し、この表面に剥離紙を取付けたもので、剥離紙を剥離して接着剤層を露出させて、このアームの接着剤層をリップスティックのキャップの上面と左右側面に押し付けて接着している。
【０００５】
特開２００６−２０４７７５号に係る「弁当箱」は、簡単に水筒を同時に携行することができ、かつ構成も簡単で、フォークや箸等の小物を収納することができるようにする。
容器本体とこの容器本体を閉塞する容器蓋体とを有する容器と、液体を収容可能な水筒とを備えており、前記水筒は、容器蓋体の上面に形成された凹部に嵌まり込むようになっている。前記凹部には、さらに凹設された小物用凹部が形成されており、凹部に水筒を嵌め込むと、前記小物用凹部は水筒によって覆われるようになっている。さらに、前記水筒は、動物の形、花や植物の形、乗り物の形、物語やアニメーション等のキャラクターの形等の具象物の形状に形成されている。
【０００６】
【特許文献１】実用新案登録第３２０５８３７号に係る「小物入れ」
【特許文献２】特許第５３４３１７５号に係る「小物吊り下げホルダー」
【特許文献３】特開２００６−２０４７７５号に係る「弁当箱」
【考案の開示】
【考案が解決しようとする課題】
【０００７】
このように、大小さまざまなキャラクターグッズが知られ、置物として、また部屋のインテリアとして使われている。
本考案では対象とするキャラクターグッズの用途は限定しないが、バックに入れた場合に嵩張ることなく持ち歩くことが出来、写真を撮る場合にはインスタバエするように、その効果が向上するようにしたキャラクターグッズを提供する。
【課題を解決するための手段】
【０００８】
本考案に係るキャラクターグッズは、形作られるキャラクターの種類やその形態は問わないが、全体の形態はＬ形とし、上半身部と下半身部が互いに分離して２ピース構造となるように構成している。
そこで、使う際には上半身部と下半身部は結合して一体化されるように、上半身部の下端には下方へ突出するピンを設け、下半身部には穴を形成し、該穴にピンが嵌合することで一体化するように構成している。
【０００９】
ここで、ピンの本数及び穴の個数は限定しないが、結合状態で上半身部と下半身部の向きが変化しないように、角形断面のピン及び角穴とし、又は複数本のピンと複数の穴としている。
ただし、上半身部と下半身部がＬ形を成して結合する為の具体的な手段は限定せず。上記ピンと穴はあくまでも具体例である。
【００１０】
ところで、全体の形態はＬ形と成っていることで、テーブル面や机の上板に載置する場合、下半身部はテーブル面に当接して水平と成り、上半身部は垂直に起立する。
本考案のキャラクターグッズの材質は一般に樹脂が用いられ、上半身部及び下半身部は共に平板状としている。勿論、多少の凹凸面を形成することも可能であるが、表面にはキャラクターが印刷などにて形成されている。
【考案の効果】
【００１１】
本考案のキャラクターグッズは、アクリルなどの樹脂で製造したもので、しかも板状体とし、その形状はＬ形としている。すなわち、水平な下半身部と垂直に起立する上半身部から成っていることで、キャラクターが座っているように見える。そこで、食事時に該キャラクターグッズをテーブル上に置いて写真を撮ることが出来、写真映えが向上するようになる。
【００１２】
そして、該グッズは上半身部と下半身部とが分離される２ピース構造として構成していることで、携帯する際には上半身部と下半身部とに分離され、Ｌ形でなく平板状となるために嵩張ることはない。
一方、Ｌ形としていることで、消しゴム、付せんなどの小物を水平な下半身部に置くならば、該小物をヒザに載せている状態となり、普通は散らかって机に置かれる小物をキャラクターグッズと組み合わせることで、テーブルや机が可愛く整頓される。
【図面の簡単な説明】
【００１３】
【図１】本考案に係るキャラクターグッズを示す具体例。
【図２】キャラクターグッズを上半身部と下半身部に分離した場合。
【図３】キャラクターグッズのヒザにキャンディを載せた場合。
【図４】キャラクターグッズのヒザにリップバームを載せた場合。
【図５】キャラクターグッズのヒザに付せんを載せた場合。
【図６】コタツに２つのキャラクターグッズを配置した場合。
【考案を実施するための形態】
【００１４】
図１は本考案に係るキャラクターグッズ１を表している具体例である。このキャラクターグッズ１はアクリル樹脂板を材質として製作され、その形状はＬ形となっている。すなわち、上半身部２と下半身部３から成り、下半身部３はテーブル面や机面に置かれるように水平とし、上半身部２は垂直に起立している。
そして、上半身部２と下半身部３とは互いに分離することが出来、その為に結合する為の結合手段を設けている。
【００１５】
図２は上半身部２と下半身部３が互いに分離した状態を表している。分離した上半身部２と下半身部３は平板であり、すなわち、結合した状態ではＬ形であるが、平板状となることで不使用時には重ね合わせてコンパクトに収納することが出来る。また、持ち運ぶ場合にバックなどに入れるときも、嵩張ることはなく便利である。
【００１６】
ところで、上半身部２の下端にはピン４が下方へ突出し、また下半身部３の表面には穴５を形成している。ピン４は長方形断面をした角形ピンとし、穴５は長方形をしていて、ピン４は穴５に篏合することが出来、上半身部２と下半身部３はＬ形に結合して一体化する。
ここで、上記ピン４の断面及び穴５は長方形をしていることで、結合した上半身部２と下半身部３は回転してその向きが変わることはない。円形断面のピン及び穴であるならば、向きが変わらないように複数本のピンと複数の穴を設けなくてはならない。
【００１７】
ところで、上半身部２と下半身部３が結合する手段は上記ピン４と穴５の篏合に限定するものではない。例えば、小さいマグネット（磁石）を上半身部２と下半身部３に埋着し、各マグネットの磁気力によって結合することも可能である。
そして、本考案のキャラクターグッズ１の作り方に関しては色々あり、その為に限定しないが、一定厚さのアクリル板を用い、キャラクターを形成する外形に切断し、これにキャラクターの画像を印刷することが出来る。
【００１８】
切断方法としてはコンピュータの制御にて動くワイヤーカットすることが好ましい。勿論、大量に製造する場合であれば、射出成形が適している。
また、上記印刷に代わってキャラクターを印刷したシールを切断したアクリル板の表面に貼り付けることも出来る。
ここで、切断されるアクリル板は、印刷されるキャラクターの外形と必ずしも一致しなくてもよく、図２に示しているようにアクリル板の大きさを一回り大きくし、外周に外形シロ６を設けることも可能である。
その為に、印刷ズレが生じても、またシールの貼着ズレが発生しても、キャラクターの外形の一部がアクリル板からはみ出すことはない。
【００１９】
本考案のキャラクターグッズはＬ形を成し、底面は平坦面である為に、テーブル面に倒れることなく載置することが出来る。使い方は自由であるが、例えば、テーブルの片隅に置いてインテリアとして使うことが出来る。
図３はテーブルや机にインテリアとして置いた場合であるが、キャラクターグッズ１のヒザの上にキャンディ７が載っている。
【００２０】
図４はキャラクターグッズ１のヒザにリップバーム８が載っている。図５に示すキャラクターグッズ１の場合、そのヒザの上には付せん９が載っている。
さらに、図６はコタツ１０に２つのキャラクター１ａ，１ｂを配置した使用例を表している。
このように、本考案のキャラクターグッズの使用形態は色々あり、上記実施例に限定はしない。
【符号の説明】
【００２１】
１   キャラクターグッズ
２   上半身部
３   下半身部
４   ピン
５   穴
６   外形シロ
７   キャンディ
８   リップバーム
９   付せん
10   コタツ
【図１】
0003220227.tif 000003
【図２】
0003220227.tif 000004
【図３】
0003220227.tif 000005
【図４】
0003220227.tif 000006
【図５】
0003220227.tif 000007
【図６】
0003220227.tif 000008